(57)【要約】【課題】遠隔操作装置本体の姿勢により選択された被操作装置の操作モードが被操作装置により報知される遠隔操作システムを提供する。【解決手段】遠隔操作装置２は、姿勢検出部２３が検出した姿勢に応じた遠隔操作信号を送信部２１から録画装置１に対して送信する。録画装置１は、受信部１１が受信した遠隔操作信号に基づいて、ＨＤＤ１２及びＤＶＤドライブ１３夫々を操作する操作モードであるＨＤＤモード及びＤＶＤモードのいずれか１つを選択する。録画装置１は、ＨＤＤモードを選択した場合、ＨＤＤモードに対応する第１発光部１２ａを点灯してＨＤＤモードを選択したことを報知する。また、録画装置１は、ＤＶＤモードを選択した場合、ＤＶＤモードに対応する第２発光部１３ａを点灯して、ＤＶＤモードを選択したことを報知する。【選択図】図１
2009260416.tif 000002
【特許請求の範囲】
【請求項１】
複数の機能を備える被操作装置と、該被操作装置を遠隔操作する遠隔操作装置とからなる遠隔操作システムにおいて、
前記遠隔操作装置は、
姿勢を検出する姿勢検出手段と、
該姿勢検出手段が検出した姿勢に対応する遠隔操作信号を前記被操作装置に送信する送信手段と
を備え、
前記被操作装置は、
前記遠隔操作信号を受信する受信手段と、
該受信手段が受信した遠隔操作信号に基づいて複数の機能のうち、１つの機能を選択する選択手段と、
該選択手段が選択した機能を報知する報知手段と
を備えることを特徴とする遠隔操作システム。
【請求項２】
前記機能を２つ備え、
前記姿勢検出手段は、
前記２つの機能夫々が対応付けられており、前記遠隔操作装置における適宜の基準面が所定角度を超えて異なる方向に傾斜した第１姿勢及び第２姿勢を各検出するよう構成してある
ことを特徴とする請求項１に記載の遠隔操作システム。
【請求項３】
前記報知手段は、
横方向に離間しており、前記２つの機能夫々が対応する２つの発光部を備え、
前記選択手段が選択した機能を、該機能が対応する発光部の消灯／点灯により、報知するよう構成してある
ことを特徴とする請求項２に記載の遠隔操作システム。
【請求項４】
前記報知手段は、
横方向に離間しており、前記２つの機能夫々が対応する２つの表示位置が設定された機能表示画面を出力するよう構成してあり、
前記選択手段が選択した機能を、該機能が対応する表示位置に表示するよう構成してある
ことを特徴とする請求項２に記載の遠隔操作システム。
【請求項５】
前記送信手段は、前記遠隔操作装置が操作された場合、前記姿勢に対応する遠隔操作信号を送信するよう構成してあることを特徴とする請求項１から請求項４までのいずれか一項に記載の遠隔操作システム。
【請求項６】
遠隔操作する複数の動作夫々が割り当てられた複数のキーを備え、
前記送信手段は、
操作されたキーが、前記被操作装置の複数の機能に共通の動作が割り当てられた共通キーである場合、前記姿勢に対応する遠隔操作信号を送信するよう構成してある
ことを特徴とする請求項１から請求項５までのいずれか一項に記載の遠隔操作システム。
【発明の詳細な説明】
【技術分野】
【０００１】
遠隔操作装置の姿勢により選択された被操作装置の機能が被操作装置により報知される遠隔操作システムに関する。
【背景技術】
【０００２】
複数種類の記録メディアへの録画及び再生等を行う録画装置が使われている。これらの録画装置は、複数種類の記録メディアと対応する複数の機能を有しており、１つの機能が選択されるよう構成されている。これらの装置を遠隔操作するための遠隔操作装置は、例えば、録画キー及び再生キー等の複数の機能に共通となる動作を指示する共通キーを備えている。ユーザは、録画及び再生等を行う記録メディアの種類と対応する機能に選択させるキー操作を行った後に、共通キーを操作する必要があり、キー操作が煩雑になる。煩雑なキー操作を低減するために、遠隔操作装置本体の傾斜又は遠隔操作装置本体を振ることにより、録画装置の機能を選択させる遠隔操作装置が用いられてきている。
【０００３】
これらの遠隔操作装置は、本体の傾斜方向、振り回数及び時間等を検出して、夫々に対応付けられた遠隔操作信号を発信し、遠隔操作する装置の機能を選択指示する。しかし、ユーザには、どの程度遠隔操作装置本体を傾斜させた場合、又は振った場合に所望の機能に選択指示されるのか把握し難いという問題があった。特許文献１には、水平姿勢から所定角度を越えて本体が傾斜した場合、遠隔操作する装置の機能を選択指示すると共に、選択指示する機能を、遠隔操作装置本体に設けられた発光部を点灯させて報知する遠隔操作装置が開示されている。これにより、ユーザが視覚的に遠隔操作装置本体の傾斜方向と選択指示される機能との対応関係を把握することが容易となる。
【特許文献１】特開２００７−２３５７０３号公報
【発明の開示】
【発明が解決しようとする課題】
【０００４】
しかしながら、特許文献１に記載の遠隔操作装置は、選択指示した機能が遠隔操作装置本体に備えられた発光部により報知するため、遠隔操作装置の内蔵電池から発光部に供給する電力により、内蔵電池の電力供給可能時間が減少するという問題があった。
【０００５】
本発明は斯かる事情に鑑みてなされたものであり、姿勢を検出する姿勢検出手段及び検出した姿勢に対応する遠隔操作信号を送信する送信手段を備えた遠隔操作装置と、遠隔操作信号を受信する受信手段、受信した遠隔操作信号に基づいて機能を選択する選択手段、及び選択した機能を報知する報知手段を備えた被操作装置とから遠隔操作システムを構成することにより、遠隔操作装置の内蔵電池が報知手段に供給する電力を必要とせず、内蔵電池の電力供給可能時間を増大させることが可能となる遠隔操作システムを提供することを目的とする。
【課題を解決するための手段】
【０００６】
本発明に係る遠隔操作システムは、複数の機能を備える被操作装置と、該被操作装置を遠隔操作する遠隔操作装置とからなる遠隔操作システムにおいて、前記遠隔操作装置は、姿勢を検出する姿勢検出手段と、該姿勢検出手段が検出した姿勢に対応する遠隔操作信号を前記被操作装置に送信する送信手段とを備え、前記被操作装置は、前記遠隔操作信号を受信する受信手段と、該受信手段が受信した遠隔操作信号に基づいて複数の機能のうち、１つの機能を選択する選択手段と、該選択手段が選択した機能を報知する報知手段とを備えることを特徴とする。
【０００７】
本発明にあっては、遠隔操作装置により、遠隔操作装置本体の姿勢に基づいて被操作装置が有する複数の機能のうち、１つの機能が選択指示される。被操作装置は、選択指示された機能を選択し、選択した機能を報知する。
【０００８】
本発明に係る遠隔操作システムは、前記機能を２つ備え、前記姿勢検出手段は、前記２つの機能夫々が対応付けられており、前記遠隔操作装置における適宜の基準面が所定角度を超えて異なる方向に傾斜した第１姿勢及び第２姿勢を各検出するよう構成してあることを特徴とする。
【０００９】
本発明にあっては、遠隔操作装置が基準面から一方向に所定角度を超えて傾斜した第１姿勢を検出した場合、遠隔操作装置により、被操作装置の２つの機能のうち、第１姿勢に対応付けられた１つの機能が選択指示される。また、遠隔操作装置が基準面から他方向に所定角度を超えて傾斜した第２姿勢を検出した場合、被操作装置の２つの機能のうち、第２姿勢に対応付けられた１つの機能が選択指示される。
【００１０】
本発明に係る遠隔操作システムは、前記報知手段は、横方向に離間しており、前記２つの機能夫々が対応する２つの発光部を備え、前記選択手段が選択した機能を、該機能が対応する発光部の消灯／点灯により、報知するよう構成してあることを特徴とする。
【００１１】
本発明にあっては、被操作装置が遠隔操作装置により第１姿勢及び第２姿勢夫々に対応する２つの機能のいずれかが選択指示された場合、被装操作装置により係る機能が選択される。また、被操作装置は、２つの機能夫々に対応して横方向に離れて配置された２つの発光部のうち、選択した機能と対応する発光部を点灯する。
【００１２】
本発明に係る遠隔操作システムは、前記報知手段は、横方向に離間しており、前記２つの機能夫々が対応する２つの表示位置が設定された機能表示画面を出力するよう構成してあり、前記選択手段が選択した機能を、該機能が対応する表示位置に表示するよう構成してあることを特徴とする。
【００１３】
本発明にあっては、被操作装置が選択した機能を表示する機能表示画面が外部の表示装置に出力される。被操作装置は、２つの機能夫々に対応して横方向に離れて機能表示画面に設定した２つの表示位置のうち、選択した機能と対応する表示位置に選択した機能を表示する。
【００１４】
本発明に係る遠隔操作システムは、前記送信手段は、前記遠隔操作装置が操作された場合、前記姿勢に対応する遠隔操作信号を送信するよう構成してあることを特徴とする。
【００１５】
本発明にあっては、ユーザが遠隔操作装置を操作した場合、遠隔操作装置本体の姿勢に対応した遠隔操作信号が被操作装置に対して送信される。
【００１６】
本発明に係る遠隔操作システムは、遠隔操作する複数の動作夫々が割り当てられた複数のキーを備え、前記送信手段は、操作されたキーが、前記被操作装置の複数の機能に共通の動作が割り当てられた共通キーである場合、前記姿勢に対応する遠隔操作信号を送信するよう構成してあることを特徴とする。
【００１７】
本発明にあっては、ユーザが操作した遠隔操作装置のキーが、被操作装置の複数の機能に共通の動作が割り当てられた共通キーである場合、遠隔操作装置の姿勢に対応する遠隔操作信号が遠隔操作装置から被操作装置に対して送信される。
【発明の効果】
【００１８】
本発明にあっては、姿勢を検出する姿勢検出手段及び検出した姿勢に対応する遠隔操作信号を送信する送信手段を備えた遠隔操作装置と、遠隔操作信号を受信する受信手段、受信した遠隔操作信号に基づいて機能を選択する選択手段、及び選択した機能を報知する報知手段を備えた被操作装置とから遠隔操作システムを構成することにより、遠隔操作装置の内蔵電池が報知手段に供給する電力を必要とせず、内蔵電池の電力供給可能時間を増大させることが可能となる。
【発明を実施するための最良の形態】
【００１９】
実施の形態１
以下、本発明をその実施の形態を示す図面を参照して具体的に説明する。図１は、実施の形態１に係る遠隔操作システムを構成する遠隔操作装置及び録画装置の内部構成を示すブロック図である。図中１は、ＨＤ（Hard Disk）に映像の記録及び再生等を行う機能と、ＤＶＤ（Digital Versatile Disc）に映像の記録及び再生等を行う機能とからなる２つの機能を備えた録画装置を示す。図中２は、録画装置１を遠隔操作する遠隔操作装置を示しており、録画装置１及び遠隔操作装置２により遠隔操作システムが構成してある。本実施の形態１は、被操作装置として遠隔操作装置２により遠隔操作される録画装置１を例に挙げて説明する。
【００２０】
録画装置１は、ＨＤに映像の記録及び再生等を行うＨＤＤ（Hard Disk Drive）１２と、ＤＶＤに映像の記録及び再生等を行うＤＶＤドライブ１３とを備えており、夫々の機能を有効にするためのＨＤＤモード及びＤＶＤモードからなる２つの操作モードを備え、いずれか１つを選択して切替可能にしてある。ＨＤＤ１２及びＤＶＤドライブ１３は、映像信号が入力される図示しない映像入力部と接続されており、入力された映像信号を選択された操作モードに応じてＨＤＤ又はＤＶＤに記録可能にしてある。
【００２１】
録画装置１は、選択した操作モードに応じてＨＤＤ１２及びＤＶＤドライブ１３のいずれか１つが再生する映像信号又は録画している映像信号を外部に接続された表示装置（図示せず）に出力する映像出力部１４を備えている。また、録画装置１は、ＨＤＤモード及びＤＶＤモード夫々に対応しており、ＬＥＤ（Light Emitting Diode）等からなる第１発光部１２ａ及び第２発光部１３ａを備える。第１発光部１２ａ及び第２発光部１３ａは、選択した操作モードに対応するいずれかを点灯するようにしてあり、選択した操作モードを報知する報知手段として機能する。
【００２２】
さらに録画装置１は、遠隔操作装置２から遠隔操作信号（リモートコントロール信号、以下、リモコン信号とする）を受信する受信部１１と、受信部１１が受信したリモコン信号に基づいて操作モードの選択、並びに選択した操作モードに対応するＨＤＤ１２又は及びＤＶＤドライブ１３を制御する制御部１０とを備えている。制御部１０は、受信部１１が受け付けたリモコン信号に基づいて録画装置１の操作モードを選択して切り替え可能にしてある。
【００２３】
制御部１０は、ＣＰＵ（Central Processing Unit）又はＭＰＵ（Micro Processing Unit）等からなり、バス１０ａを介して、ＲＡＭ（Random Access Memory）１５及びＲＯＭ（Read-Only Memory）１６と接続されている。制御部１０は、ＲＯＭ１６に予め記憶されたプログラムをＲＡＭ１５に読み出して実行することにより、種々のソフトウェア的機能を実現すると共に、録画装置１内のハードウェア各部の動作を制御するよう構成してある。
【００２４】
遠隔操作装置２は、ユーザによるキー操作を受付ける操作部２２と、本体の姿勢を検出する姿勢検出部２３と、操作部２２が受付けたキー操作及び姿勢検出部２３が検出した本体の姿勢に基づいてリモコン信号を出力する制御部２０と、制御部２０が出力するリモコン信号を録画装置１に対して送信する送信部２１とを備える。姿勢検出部２３は、例えば、静電容量型、ピエゾ抵抗型及び熱分布検知型等の加速度センサを用いた傾斜センサからなる。操作部２２は、録画装置１に指示する複数の動作、例えば、電源のオン／オフ、録画及び再生等が夫々割り当てられた複数のキーを備えている。複数のキーは、例えば、録画及び再生等の録画装置１のＨＤＤモード及びＤＶＤモードにおいて共通となる動作が割り当てられた共通キーを含んでいる。
【００２５】
制御部２０は、ＣＰＵ（Central Processing Unit）又はＭＰＵ（Micro Processing Unit）等からなり、バス２０ａを介して、ＲＡＭ（Random Access Memory）２５及びＲＯＭ（Read-Only Memory）２６と接続されている。制御部２０は、ＲＯＭ２６に予め記憶されたプログラムをＲＡＭ２５に読み出して実行することにより、種々のソフトウェア的機能を実現すると共に、遠隔操作装置２内のハードウェア各部の動作を制御するよう構成してある。遠隔操作装置２内のハードウェア各部には、遠隔操作装置２が備える図示しない内蔵電池により電力が供給されるようにしてある。
【００２６】
図２は、実施の形態１に係る録画装置１の外観を示す模式的斜視図である。録画装置１は、直方体の筺体を備えており、ユーザに対して正面に位置する操作パネル１ａには、リモコン信号を受信するための受信部１１が有する受信窓部１１ａと、記録及び再生等を施すＤＶＤが挿入されるためのＤＶＤレコーダ部１２ｂが有する記録媒体挿入部１３ｂとを備えている。また、操作パネル１ａの左側及び右側夫々に、発光ダイオード等からなる第１発光部１２ａ及び第２発光部１３ａが略水平線上に位置するよう配置されている。第１発光部１２ａ及び第２発光部１３ａ夫々には、ＨＤＤモードを示す「ＨＤＤ」及びＤＶＤモードを示す「ＤＶＤ」が印刷されている。
【００２７】
図３は、実施の形態１に係る遠隔操作装置２の外観を示す模式的斜視図及び遠隔操作装置２が検出する姿勢を説明するための説明図である。図中白抜矢印は、録画装置１を遠隔操作すべくユーザが遠隔操作装置２を録画装置１の受信部１１に向けて把持した場合に、遠隔操作装置２から録画装置１へ向かう方向を示している。操作部２２が備える共通キーを含む１２個のキー２２ａ、２２ａ、…が、遠隔操作装置２を図３Ａに示す如く水平姿勢に把持した状態で遠隔操作装置２の上面となる操作面に設けられている。ここでＺ軸を、鉛直方向に定義し、Ｘ軸及びＹ軸を、水平方向であり、互いに直交するよう定義する。Ｙ軸の方向は、遠隔操作装置２を録画装置１に向けて把持した状態で遠隔操作装置２から録画装置１に向かう方向と略同一となるよう定義する。
【００２８】
遠隔操作装置２の姿勢は、遠隔操作装置２の操作面（基準面）における法線Ｌ０がＺ−Ｘ平面内でＺ軸となす傾斜角度θｄで表される。また、傾斜角度θｄは、法線Ｌ０がＸＺ平面においてＹ軸を中心として左周りに回転する方向を負とし、右周りに回転する方向を正とする。遠隔操作装置２が水平姿勢にある状態では、傾斜角度θｄは、０となる。ＲＯＭ２６には予め操作モードを切替える基準となる夫々負及び正の値からなる角度θ１及びθ２が記憶されている。角度θ１及びθ２は、例えば、夫々−１０°〜−４０°及び＋１０°〜＋４０°の範囲内にある角度を予め設定すると良い。遠隔操作装置２は、操作を受け付けたキーが共通キーである場合、姿勢検出部２３が検出した傾斜角度θｄが角度θ１未満又は角度θ２を超えるか否かを判定する。
【００２９】
遠隔操作装置２は、傾斜角度θｄが角度θ１未満であるか否かを判定した場合、操作面が角度θ１の絶対値を超えて左周りに傾斜した第１姿勢にあるとし、録画装置１の操作モードを第１姿勢に対応付けられたＨＤＤモードに切替える切替信号を送信する。遠隔操作装置２は、傾斜角度θｄが角度θ２を超えると判定した場合、操作面が角度θ２の絶対値を超えて右周りに傾斜した第２姿勢にあるとし、録画装置１の操作モードを第２姿勢に対応付けられたＤＶＤモードに切替える切替信号をリモコン信号として送信する。遠隔操作装置２は、切替信号を送信した後に、受け付けたキーに対応するキー識別信号をリモコン信号として送信する。また、遠隔操作装置２は、第１姿勢及び第２姿勢のいずれにも該当しないと判定した場合、又は操作を受け付けたキーが共通キーでない場合、切替信号を送信せずに、キー識別信号を送信する。
【００３０】
録画装置１は、遠隔操作装置２からＨＤＤモードに切替を指示する切替信号を受信した場合、ＨＤＤモードに切替えると共に、第１発光部１２ａ及び第２発光部１３ａのうち、左側に配置されている第１発光部１２ａを点灯する。録画装置１は、遠隔操作装置２からＤＶＤモードに切替を指示する切替信号を受信した場合、ＤＶＤモードに切替えると共に、第１発光部１２ａ及び第２発光部１３ａのうち、右側に配置されている第２発光部１３ａを点灯する。録画装置１は、キー識別信号を受信した場合、キー識別信号が示すキーに割り当てられた動作を実行する。
【００３１】
図４は、実施の形態１に係る送信処理の手順を示すフローチャートである。制御部２０は、操作部２２が操作を受付けたか否かを判定する（ステップＳ１１）。制御部２０は、操作を受付けていないと判定した場合（ステップＳ１１でＮＯ）、操作を受付けるまで待機する。制御部２０は、操作を受付けたと判定した場合（ステップＳ１１でＹＥＳ）、受付けた操作に係るキーが共通キーであるか否かを判定する（ステップＳ１２）。制御部２０は、共通キーであると判定した場合（ステップＳ１２でＹＥＳ）、姿勢検出部２３が検出した傾斜角度θｄを取得する（ステップＳ１３）。
【００３２】
制御部２０は、傾斜角度θｄがＲＯＭ２６から読み出した角度θ２を超えているか否かを判定する（ステップＳ１４）。制御部２０は、角度θ２を超えていると判定した場合（ステップＳ１４でＹＥＳ）、ＤＶＤモードへの切替を指示する切替信号を録画装置１に送信し（ステップＳ１７）、受付けた操作に係るキーに対応するキー識別信号を録画装置１に送信して（ステップＳ１８）、送信処理を終了する。制御部２０は、傾斜角度θｄが角度θ２を超えているか否かを判定するステップＳ１４において、傾斜角度θｄが角度θ２を超えていないと判定した場合（ステップＳ１４でＮＯ）、傾斜角度θｄがＲＯＭ２６から読み出した角度θ１未満であるか否かを判定する（ステップＳ１５）。
【００３３】
制御部２０は、傾斜角度θｄが角度θ１未満であると判定した場合（ステップＳ１５でＹＥＳ）、ＨＤＤモードへ切替を指示する切替信号を録画装置１に送信し（ステップＳ１６）、キー識別信号を録画装置１に送信して（ステップＳ１８）、送信処理を終了する。制御部２０は、受付けた操作に係るキーが共通キーであるか否かを判定するステップＳ１２において、共通キーでないと判定した場合（ステップＳ１２でＮＯ）、キー識別信号を録画装置１に送信するステップＳ１８に処理を移す。制御部２０は、傾斜角度θｄが角度θ１未満であるか否かを判定するステップＳ１５において、傾斜角度θｄが角度θ１未満でないと判定した場合（ステップＳ１５でＮＯ）、キー識別信号を録画装置１に送信するステップＳ１８に処理を移す。
【００３４】
図５は、実施の形態１に係る受信処理の手順を示すフローチャートである。録画装置１の制御部１０は、遠隔操作装置２からリモコン信号を受信したか否かを判定する（ステップ２１）。制御部１０は、リモコン信号を受信していないと判定した場合（ステップＳ２１でＮＯ）、リモコン信号を受信するまで待機する。制御部１０は、リモコン信号を受信したと判定した場合（ステップＳ２１でＹＥＳ）、受信したリモコン信号が、キー識別信号であるか否かを判定する（ステップＳ２２）。制御部１０は、キー識別信号でないと判定した場合（ステップＳ２２でＮＯ）、リモコン信号がＨＤＤモード及びＤＶＤモードのいずれに切替を指示する切替信号であるかを判定する（ステップＳ２３）。
【００３５】
制御部１０は、ＨＤＤモードに切替を指示する切替信号であると判定した場合（ステップＳ２３で“ＨＤＤ”）、ＨＤＤモードに切替える（ステップＳ２４）。制御部１０は、第１発光部１２ａを点灯して（ステップＳ２５）、リモコン信号を受信したか否かを判定するステップＳ２１に処理を戻す。制御部１０は、リモコン信号がＨＤＤモード及びＤＶＤモードのいずれに切替を指示する切替信号であるかを判定するステップＳ２３において、ＤＶＤモードに切替を指示する切替信号であると判定した場合（ステップＳ２３で“ＤＶＤ”）、ＤＶＤモードに切替える（ステップＳ２６）。
【００３６】
制御部１０は、第２発光部１３ａを点灯して（ステップＳ２７）、リモコン信号を受信したか否かを判定するステップＳ２１に処理を戻す。制御部１０は、受信したリモコン信号が、キー識別信号であるか否かを判定するステップＳ２２において、キー識別信号であると判定した場合（ステップＳ２２でＹＥＳ）、キー識別信号が示すキーに割り当てられた動作を実行して（ステップＳ２８）、受信処理を終了する。
【００３７】
本実施の形態１では、ユーザが左側に傾斜させた状態で遠隔操作装置２を把持し、共通キーを操作した場合、対応するＨＤＤモードに選択指示されると共に、録画装置１の左側に配置された第１発光部が点灯される。また、ユーザが右側に傾斜させた状態で遠隔操作装置２を把持し、共通キーを操作した場合、対応するＤＶＤモードに選択指示されると共に、録画装置１の右側に配置された第２発光部が点灯される。これにより、ユーザは、遠隔操作装置２の傾斜方向と、選択指示された操作モードとの対応関係を把握することが容易となる。
【００３８】
本実施の形態１では、遠隔操作装置２の操作部２２が１２個のキー２２ａ、２２ａ、…を備える場合を示したが、これに限るものではなく、１２個未満又は１３個以上であってもよい。操作モードとしてＤＶＤモード及びＨＤＤモードからなる操作モードを示したが、これに限るものではなく、録画装置１が備えており、遠隔操作装置２が録画装置１を遠隔操作する場合に、選択指示させる必要がある操作モードであればよい。
【００３９】
録画装置１が備える操作モードの数及び、遠隔操作装置２の姿勢に対応付けられる操作モードの数ｎは、２つに限るものではなく、遠隔操作装置２の姿勢の区分数に応じて３つ以上であっても良い。この場合、操作モードの数ｎに応じて各姿勢を区分するｎ個の角度を予め設定してＲＯＭ２６に記憶させると共に、各操作モードに対応した第１発光部から第ｎ発光部までからなるｎ個の発光部を録画装置１の操作パネル上に左から右に略水平線上に並べて設けるとよい。
【００４０】
本実施の形態１では、遠隔操作装置２により遠隔操作される被操作装置として録画装置１を例に挙げて説明したが、これに限るものではなく、複数の機能を有しており、遠隔操作装置２により遠隔操作されると共に、機能が選択指示される装置であれば良い。
【００４１】
実施の形態２
図６は、実施の形態２に係る遠隔操作システムを構成する遠隔操作装置及び録画装置の内部構成を示すブロック図である。本実施の形態２は、実施の形態１が録画装置１に備えられた発光部を点灯して操作モードを表示するのに対して、操作モードを示す操作モード表示画面（機能表示画面）を外部の表示装置に出力して表示するように構成してある。図中３は、実施の形態２に係る録画装置を示しており、制御部１０が出力する操作モード表示画面に係る映像信号をＨＤＤ１２又はＤＶＤドライブ１３が出力する映像信号に重畳して映像出力部１４に与えるＯＳＤ（On-Screen Display）部３１を備える。
【００４２】
図７は、実施の形態２に係る映像信号に重畳された操作モード表示画面の例を示す模式図である。操作モード表示画面には、ＨＤＤモード及びＤＶＤモードに対応しており、夫々「ＨＤＤ」及び「ＤＶＤ」と示された表示子のいずれか一方が、夫々画面左上及び右上に表示される。図７に示す例では、ＨＤＤモードに切替えられた状態で「ＨＤＤ」と示された表示子が画面左上に表示された操作モード表示画面が、ＨＤＤ１２より出力されており、ＨＤＤ１２が録画中の人物像が表示された映像信号に重畳されている。操作モード表示画面の右下には、録画中であることを示すメッセージ「録画中」が表示されている。ここで、遠隔操作装置２が実行する送信処理の手順は、実施の形態１における図４に示したフローチャートと同様であるので説明を省略する。
【００４３】
図８は、実施の形態２に係る受信処理の手順を示すフローチャートである。録画装置３の制御部１０は、遠隔操作装置２からリモコン信号を受信したか否かを判定する（ステップ３１）。制御部１０は、リモコン信号を受信していないと判定した場合（ステップＳ３１でＮＯ）、リモコン信号を受信するまで待機する。制御部１０は、リモコン信号を受信したと判定した場合（ステップＳ３１でＹＥＳ）、受信したリモコン信号が、キー識別信号であるか否かを判定する（ステップＳ３２）。制御部１０は、キー識別信号でないと判定した場合（ステップＳ３２でＮＯ）、リモコン信号がＨＤＤモード及びＤＶＤモードのいずれに切替を指示する切替信号であるかを判定する（ステップＳ３３）。
【００４４】
制御部１０は、ＨＤＤモードに切替を指示する切替信号であると判定した場合（ステップＳ３３で“ＨＤＤ”）、ＨＤＤモードに切替える（ステップＳ３４）。制御部１０は、ＨＤＤモードを操作モード表示画面に表示し（ステップＳ３５）、リモコン信号を受信したか否かを判定するステップＳ３１に処理を戻す。制御部１０は、リモコン信号がＨＤＤモード及びＤＶＤモードのいずれに切替を指示する切替信号であるかを判定するステップＳ３３において、ＤＶＤモードに切替を指示する切替信号であると判定した場合（ステップＳ３３で“ＤＶＤ”）、ＤＶＤモードに切替える（ステップＳ３６）。
【００４５】
制御部１０は、ＤＶＤモードを操作モード表示画面に表示し（ステップＳ３７）、リモコン信号を受信したか否かを判定するステップＳ３１に処理を戻す。制御部１０は、受信したリモコン信号が、キー識別信号であるか否かを判定するステップＳ３２において、キー識別信号であると判定した場合（ステップＳ３２でＹＥＳ）、キー識別信号が示すキーに割り当てた動作を実行して（ステップＳ３８）、受信処理を終了する。
【００４６】
本実施の形態２では、操作モード表示画面に選択されたＨＤＤモード又はＤＶＤモードのいずれかが表示される例を示したが、これに限るものではなく、ＨＤＤモード及びＤＶＤモード夫々に対応した２つの表示子を操作モード表示画面の左右に表示し、選択した操作モードに対応する表示子を反転表示等により表示してもよい。また、録画装置３が備える操作モードの数及び、遠隔操作装置２の姿勢に対応付けられる操作モードの数は、２つに限るものではなく、遠隔操作装置２の姿勢の区分数に応じて３つ以上であっても良い。この場合、操作モード表示画面の上端又は下端近傍の略水平線上に、操作モードの数に応じて、各操作モードに対応する表示子を複数並べて表示し、選択した操作モードに対応する表示子を反転表示等により表示するとよい。
【００４７】
本実施の形態２は以上の如き構成としてあり、その他の構成及び作用は実施の形態１と同様であるので対応する部分には同一の参照符号を付してその詳細な説明を省略する。
【図面の簡単な説明】
【００４８】
【図１】実施の形態１に係る遠隔操作システムを構成する遠隔操作装置及び録画装置の内部構成を示すブロック図である。
【図２】実施の形態１に係る録画装置の外観を示す模式的斜視図である。
【図３】実施の形態１に係る遠隔操作装置の外観を示す模式的斜視図及び遠隔操作装置が検出する姿勢を説明するための説明図である。
【図４】実施の形態１に係る送信処理の手順を示すフローチャートである。
【図５】実施の形態１に係る受信処理の手順を示すフローチャートである。
【図６】実施の形態２に係る遠隔操作システムを構成する遠隔操作装置及び録画装置の内部構成を示すブロック図である。
【図７】実施の形態２に係る映像信号に重畳された操作モード表示画面の例を示す模式図である。
【図８】実施の形態２に係る受信処理の手順を示すフローチャートである。
【符号の説明】
【００４９】
１、３  録画装置（被操作装置）
２  遠隔操作装置
１０、２０  制御部
１０ａ、２０ａ  バス
１１  受信部
１２  ＨＤＤ
１２ａ  第１発光部
１３  ＤＶＤドライブ
１３ａ  第２発光部
１４  映像出力部
１５、２５  ＲＡＭ
１６、２６  ＲＯＭ
２１  送信部
２２  操作部
２３  姿勢検出部
３１  ＯＳＤ部
【図１】
2009260416.tif 000003
【図２】
2009260416.tif 000004
【図３】
2009260416.tif 000005
【図４】
2009260416.tif 000006
【図５】
2009260416.tif 000007
【図６】
2009260416.tif 000008
【図７】
2009260416.tif 000009
【図８】
2009260416.tif 000010